(57)【特許請求の範囲】
【請求項１】
ディジタル放送受信側からの課金情報および購入した番組の履歴および受信側から送信側へのデータ送信履歴の内の１以上のデータの送信要求を電話回線を通して受ける通信手段と、
ディジタル放送受信機ごとの課金情報および購入した番組の履歴および受信側から送信側へのデータ送信履歴の内の１以上のデータを、モデムを介して前記電話回線に送出するデータ送信手段と、
ビデオデータ及びオーディオデータからトランスポートストリームを生成してこれを変調し、放送波である高周波信号としてアンテナから衛星に向けて送信する放送波送信手段とを具備したことを特徴とするディジタル放送送信機。
【請求項２】
ディジタル放送送信側に自己の課金情報および購入した番組の履歴および受信側から送信側へのデータ送信履歴の内の１以上のデータの送信要求をモデムを介して電話回線に送出する通信手段と、
衛星を介して受信された放送波である高周波信号の中から所定の放送波周波数帯域を選択してトランスポートストリームを得る選択手段と、
前記電話回線を介して送信されてくる自己の課金情報および購入した番組の履歴および受信側から送信側へのデータ送信履歴の内の１以上のデータを受信し、このデータをモニタ表示する表示手段とを具備したことを特徴とするディジタル放送受信機。
【発明の詳細な説明】
【０００１】
【発明の属する技術分野】
本発明は、ディジタル放送システムにおけるディジタル放送送信機並びにディジタル放送受信機に関する。
【０００２】
【従来の技術】
現在ディジタル放送システムにおいて、視聴者の受信機ごとの、課金情報、購入した番組の履歴、送信側へのデータ送信履歴の情報は、電話回線を通して、自動的に送信側に送られ、送信側で保存されている。
【０００３】
【発明が解決しようとする課題】
従来、視聴者が自己の課金情報、購入した番組の履歴、送信側へのデータ送信履歴といった情報を得るためには、電話等で送信側に問い合わせなければならないという問題点があった。
【０００４】
本発明は、かかる問題点に鑑みてなされたものであって、視聴者が、自己の課金情報、購入した番組の履歴、送信側へのデータ送信履歴の少なくとも１以上を得ることを可能にするディジタル放送送信機並びにディジタル放送受信機を提供することを目的とする。
【０００５】
【課題を解決するための手段】
（ディジタル放送送信機）
（構成例）
ディジタル放送受信側からの課金情報および購入した番組の履歴および受信側から送信側へのデータ送信履歴の内の１以上のデータの送信要求を電話回線を通して受ける通信手段と、
ディジタル放送受信機ごとの課金情報および購入した番組の履歴および受信側から送信側へのデータ送信履歴の内の１以上のデータを、モデムを介して前記電話回線に送出するデータ送信手段と、
ビデオデータ及びオーディオデータからトランスポートストリームを生成してこれを変調し、放送波である高周波信号としてアンテナから衛星に向けて送信する放送波送信手段とを具備したことを特徴とする。
【０００７】
（ディジタル放送受信機）
（構成例）
ディジタル放送送信側に自己の課金情報および購入した番組の履歴および受信側から送信側へのデータ送信履歴の内の１以上のデータの送信要求をモデムを介して電話回線に送出する通信手段と、
衛星を介して受信された放送波である高周波信号の中から所定の放送波周波数帯域を選択してトランスポートストリームを得る選択手段と、
前記電話回線を介して送信されてくる自己の課金情報および購入した番組の履歴および受信側から送信側へのデータ送信履歴の内の１以上のデータを受信し、このデータをモニタ表示する表示手段とを具備したことを特徴とする。
【０００９】
【発明の実施の形態】
図１は、本発明のディジタル放送送信機（以下、単に送信機という）１とディジタル放送受信機（以下、単に受信機という）２を使うディジタル放送システムの概要を示す図である。
【００１０】
図２に、本発明の送信機１の基本的な形態の構成を示す。
【００１１】
図３に、図２の送信機１に対応する本発明の受信機２の基本的な形態の構成を示す。
【００１２】
図１に示すように、受信機２と送信機１の間は、電話回線３である通信手段で結ばれており、また送信機１から受信機２へは、衛星４を用いた放送手段で結ばれている。
【００１３】
電話回線３およびモデム１６を介して、複数の受信機２側から、各自受信機２の課金情報、購入した番組の履歴、受信側から送信側へのデータ送信履歴（例えばペイパービュー）の送信要求があった場合の送信機１の動作を説明する。
【００１４】
送信要求のあった受信機２ごとの権限レベル情報、課金情報、購入した番組の履歴、受信側から送信側へのデータ送信履歴（例えばペイパービュー）が変換回路１２に供給される。
【００１５】
変換回路は、プライベートセクションという放送フォーマットに従って、前記入力を、ＭＰＥＧ２のＩＳＯ／ＩＥＣ１３８１８で定義されているＥＭＭ（Ｅｎｔｉｔｌｅｍｅｎｔ  Ｍａｎａｇｅｍｅｎｔ  Ｍｅｓｓａｇｅ）とし、次段のマルチプレクサ１３に供給する。
【００１６】
マルチプレクサ１３には、他に例えばＭＰＥＧ２の圧縮された複数のビデオデータ、例えばＭＰＥＧ２の圧縮された複数のオーディオデータが、入力されている。マルチプレクサ１３は、これら入力をパケット単位で多重し、トランスポートストリームを生成する。
【００１７】
次段のスクランブラー１４は、入力をスクランブルして、スクランブルされたトランスポートストリームとする。
【００１８】
次段の変調回路１５は、スクランブラー１４からの出力を変調し、放送波である高周波（ＲＦ）信号とする。この高周波（ＲＦ）信号は、アンテナ１７を介して、衛星４に向け送信される。
【００１９】
次に、受信機２の動作を説明する。まず初めに、各自受信機２の課金情報、購入した番組の履歴、受信側から送信側へのデータ送信履歴（例えばペイパービュー）の送信要求の手順を説明する。
【００２０】
視聴者は、図６に示すように、リモコン３３の操作もしくは受信機２本体の図示しない入力手段の操作によって、表示メニューを起動する。
【００２１】
サブマイコン２９は、ＲＯＭ３０からメニューのキャラクタを読み出し、ＮＴＳＣエンコーダ２８に供給する。ＮＴＳＣエンコーダ２８は、そのキャラクタをビデオ信号にし、モニタ４２に供給する。
【００２２】
モニタ４２は、図７に示すごとく、表示メニューの一覧を表示する。そして、視聴者が、リモコン３３もしくは受信機２本体の入力手段により、３番目の課金情報、購入した番組の履歴、受信側から送信側へのデータ送信履歴を選択すると、サブマイコン２９は、モデム３１および電話回線３を介して、自己の課金情報、購入した番組の履歴、受信側から送信側へのデータ送信履歴を、送信機１に送信要求する。
【００２３】
次に、受信機２の本来の動作を説明する。
【００２４】
アンテナ２１は、衛星４から高周波（ＲＦ）信号を受信する。
【００２５】
チューナ２２は、アンテナ２１からの高周波（ＲＦ）信号の中から所定の周波数帯域を選局し、スクランブルされたトランスポートストリームを得る。
【００２６】
図示しない別途設けたマイコンは、チューナ２２からのスクランブルされたトランスポートストリームの中のＥＭＭに含まれる前記権限レベル情報を解読してデスクランブル信号を生成し、デスクランブラー２３に供給する。
【００２７】
デスクランブラー２３は、チューナ２２からの出力のスクランブルを解除し、トランスポートストリームを、デマルチプレクサ２４に供給する。
【００２８】
デマルチプレクサ２４は、入力のトランスポートストリームの多重を解除し、前記圧縮されたオーディオデータ、前記圧縮されたビデオデータ、前記ＥＭＭ、前記個人メールを出力する。
【００２９】
逆変換回路３２は、送信機１の変換回路１２とは逆の動作を行い、課金情報、購入した番組の履歴、受信側から送信側へのデータ送信履歴を、サブマイコン２９に出力する。
【００３０】
サブマイコン２９は、課金情報、購入した番組の履歴、受信側から送信側へのデータ送信履歴のキャラクタを、ＲＯＭ３０から読み出し、ＮＴＳＣエンコーダ２８に供給する。
【００３１】
ＮＴＳＣエンコーダ２８は、課金情報、購入した番組の履歴、受信側から送信側へのデータ送信履歴のキャラクタをビデオ信号にして、モニタ４２に供給する。
【００３２】
モニタ４２は、図８に示すごとく、課金情報、購入した番組の履歴、受信側から送信側へのデータ送信履歴を表示する。これにより、自己の課金情報、購入した番組の履歴、受信側から送信側へのデータ送信履歴を知ることができる。
【００３３】
前記圧縮されたオーディオデータは、オーディオデコーダ２５でデコードされる。デコードされたオーディオデータは、次段のオーディオディジタルアナログコンバータ２７により、アナログのオーディオ信号となる。
【００３４】
前記圧縮されたビデオデータは、ビデオデコーダ２６でデコードされる。デコードされたビデオデータは、次段のＮＴＳＣエンコーダによりビデオ信号となり、モニタ４２に供給される。
【００３５】
図４に、本発明の送信機１の実施の形態の構成を示す。基本的な形態と同じ構成要素については、同一参照番号を付して、その詳細な説明は省略する。
【００３６】
図５に、図４の送信機１に対応する本発明の受信機２の実施の形態の構成を示す。基本的な形態と同じ構成要素については、同一参照番号を付して、その詳細な説明は省略する。
【００３７】
ここでは、基本的な形態と異なる部分だけを説明する。
【００３８】
図４において、送信要求のあった受信機２ごとの課金情報、購入した番組の履歴、受信側から送信側へのデータ送信履歴（例えばペイパービュー）は、モデム１６および電話回線３を使って、受信側へ送信される。
【００３９】
図５の受信機２のサブマイコン２９は、電話回線３およびモデム３１を介して、自己の課金情報、購入した番組の履歴、受信側から送信側へのデータ送信履歴が入力される。
【００４０】
サブマイコン２９は、その課金情報、購入した番組の履歴、受信側から送信側へのデータ送信履歴のキャラクタを、ＲＯＭ３０から読み出し、ＮＴＳＣエンコーダ２８に供給する。
【００４１】
ＮＴＳＣエンコーダ２８は、課金情報、購入した番組の履歴、受信側から送信側へのデータ送信履歴のキャラクタをビデオ信号にして、モニタ４２に供給する。
【００４２】
モニタ４２は、図８に示すごとく、課金情報、購入した番組の履歴、受信側から送信側へのデータ送信履歴を表示する。これにより、自己の課金情報、購入した番組の履歴、受信側から送信側へのデータ送信履歴を知ることができる。
【００４３】
なお、受信機２からは、課金情報および購入した番組の履歴および受信側から送信側へのデータ送信履歴の３つを同時に要求することに限定されず、１つ以上を要求することでも良い。
【００４４】
また、送信機１からも、課金情報および購入した番組の履歴および受信側から送信側へのデータ送信履歴の３つを同時に受信側に送ることに限定されず、１つ以上を送ることでも良い。
【００４６】
【発明の効果】
以上、本発明によれば、衛星を介して通常の衛星放送波の送受信が行われるとともに、視聴者が自己の課金情報、購入した番組の履歴、受信側から送信側へのデータ送信履歴の要求を電話回線を利用して要求し、これを受けて送信側で対応するデータを電話回線を介して受信側に送出することにより、天候によって大きく影響される衛星放送波を利用することなく確実にデータの送受信を行うことが可能となり、しかも、このデータの送受信は、衛星放送にリンクさせることも可能であるが、衛星放送には無関係に独立して実施することも可能なので、放送終了もしくは中断しているような状況下でも２４時間対応が可能となる等、優れた効果を発揮することができる。
【図面の簡単な説明】
【図１】本発明のディジタル放送送信機１とディジタル放送受信機２を使うディジタル放送システムの概要を示す図である。
【図２】本発明のディジタル放送送信機１の基本的な形態の構成を示すブロック図である。
【図３】本発明のディジタル放送受信機２の基本的な形態の構成を示すブロック図である。
【図４】本発明のディジタル放送送信機１の実施の形態の構成を示すブロック図である。
【図５】本発明のディジタル放送受信機１の実施の形態の構成を示すブロック図である。
【図６】リモコン３３の操作もしくは受信機２本体の図示しない入力手段の操作による表示メニューの起動を説明する図である。
【図７】モニタ４２に表示された表示メニューの一覧を示す図である。
【図８】モニタ４２に表示された課金情報、購入した番組の履歴、受信側から送信側へのデータ送信履歴（例えばペイパービュー）を示す図である。
【符号の説明】
１・・・ディジタル放送送信機、２・・・ディジタル放送受信機、３・・・電話回線、４・・・衛星、１２・・・変換回路、１３・・・マルチプレクサ、１４・・・スクランブラー、１５・・・変調回路、１６・・・モデム、１７・・・アンテナ、２１・・・アンテナ、２２・・・チューナ、２３・・・デスクランブラー、２４・・・デマルチプレクサ、２５・・・オーディオデコーダ、２６・・・ビデオデコーダ、２７・・・オーディオディジタルアナログコンバータ、２８・・・ＮＴＳＣエンコーダ、２９・・・サブマイコン、３０・・・ＲＯＭ、３１・・・モデム、３２・・・逆変換回路、３３・・・リモコン、４１・・・メニュー画面、４２・・・モニタ。
【図１】
0003588534.tif 000002
【図２】
0003588534.tif 000003
【図３】
0003588534.tif 000004
【図４】
0003588534.tif 000005
【図５】
0003588534.tif 000006
【図６】
0003588534.tif 000007
【図７】
0003588534.tif 000008
【図８】
0003588534.tif 000009